(57)【特許請求の範囲】
【請求項１】
電子部品（１）を取り付けるための受容表面（２２）と、回路基板（３）に接続するための、前記受容表面（２２）と反対側の実装表面（２４）とを有する絶縁ハウジング（２０）であって、前記受容表面（２２）と前記実装表面（２４）との間に延びる複数のスルーホール（２６）と、前記実装表面（２４）に形成された複数の窪み（２８）であって、各窪み（２８）が前記スルーホール（２６）の１つに夫々関連付けられ該関連付けられたスルーホール（２６）の実装表面（２４）内の開口（２６２）に隣接して位置している窪み（２８）とを有する絶縁ハウジング（２０）と、
前記絶縁ハウジング（２０）の前記スルーホール（２６）に受け入れられた複数の導電性の端子（４）であって、１つの端子（４）は前記スルーホール（２６）の１つに受け入れられ、各端子（４）は、前記スルーホール（２６）に受け入れられた本体部分（４１）を含み、自由端（４２）が前記開口（２６２）を通して実装表面（２４）側に延び、該自由端（４２）が、スルーホール（２６）の窪み（２８）に近い側の壁（２６４）と、窪み（２８）のスルーホール（２６）に近い壁（２８０、２８１）の間の実装表面（２４）の一部を支点として、窪み（２８）内に斜めに折り返されて半田ボール実装部分（４４）を形成している端子（４）とを備える電子部品を回路基板に接続する電気コネクタ。
【請求項２】
前記窪み（２８）は、スルーホール（２６）の窪み（２８）に近い側の壁（２６４）から傾斜しながら延びる第１壁（２８０）と、実装表面（２４）にほぼ平行に延びる第３壁（２８４）と、実装表面（２４）にほぼ垂直の第２壁（２８２）を備えて断面が台形形状を成し、前記端子（４）の自由端（４２）が前記壁（２６４）と第１壁（２８０）が実装表面（２４）上で出会うエッジを支点として折り返されている請求項１記載の電気コネクタ。
【請求項３】
前記窪み（２８）は、スルーホール（２６）の窪み（２８）に近い側の壁（２６４）とほぼ平行の第１壁（２８１）と、実装表面（２４）にほぼ平行に延びる第３壁（２８４）と、実装表面（２４）にほぼ垂直の第２壁（２８２）を備えて断面が矩形形状を成し、前記端子（４）の自由端（４２）が前記壁（２６４）と第１壁（２８１）の間の実装表面（２４）の一部を支点として折り返されている請求項１記載の電気コネクタ。
【請求項４】
前記端子（４）の自由端（４２）は、干渉部分（４２１）で終わり、該干渉部分（４２１）が窪み（２８）を形成した壁と干渉して係合している請求項１〜３のいずれかに記載の電気コネクタ。
【発明の詳細な説明】
【０００１】
【発明の属する技術分野】
本発明は、電子製品のための電気コネクタ構造に関し、より具体的には、表面実装する電気コネクタの構造に関する。
【０００２】
【従来の技術】
一般的に、市場に流通する電子製品に対し、消費者は、それらが具体的な機能を達成することを期待していることは別として、特に、種々の形状と軽い重量を持つことを要求している。種々の形状と軽い重量を持つために、電子製品の内部に設ける電子部品は、コンパクト化の方向で開発する必要があり、どのように電気コネクタを回路基板に接続するかは、コンパクト化のために重要な課題となっている。電気コネクタと回路基板を接続する場合、従来から、回路基板に穴を成形している。すなわち、電気コネクタの端子は、回路基板に形成されたスルーホールを通され、電気コネクタと反対側の回路基板の対応した接触部に固定的に接続されるようになっている。しかし、このような接続方法は、回路基板に設けるスルーホールが、回路基板の配線エリアの大きいパーセンテージを占有し、好ましくない。それゆえ、回路基板に穴を形成せずに電気コネクタを如何にして回路基板に接続するかということが解決すべき問題となる。
【０００３】
現在では、スルーホールを持たない回路基板が提供されており、この回路基板では、電気コネクタに近い側の表面で配線が実施されるようになっている。回路基板の対応した接点は、後工程で熱せられた後に、半田ボールを介して電気コネクタの端子と直接接続され、これにより、電気的な接続が確立される。図１は、この従来の電気コネクタを示す図であり、電気コネクタ７と電子部品６と回路基板８との間の相対的な関係を示す。図２は、図１のＡ―Ａ線断面図であり、回路基板８の電気コネクタ７に近い側の対応する接点８４を備える表面８２を示している。電気コネクタ７の複数の端子７８のそれぞれは、絶縁ハウジング７０の対応する１つのスルーホール７６に通され、端子７８の終端部分７８２は、絶縁ハウジング７０の表面７２を過ぎてわずかに突出している。終端部分７８２には、半田ボール７１が予め設置されている。半田ボール７１が予め設置された電気コネクタ７が、回路基板８の近くに運ばれると、個々の終端部分７８２に付属している半田ボール７１は、そのとき、回路基板８の対応する接点８４に接触し、加熱後に、電気接続が確立される。
【０００４】
更に、別の電気コネクタが、中華民国の特許第３８３９６３号の公報において開示されている。それは、図３に示す様に、複数のスルーホール７６の各々が電気コネクタ７の絶縁ハウジング７０に形成されており、各スルーホール７６の一端は、回路基板８に近い側の面で球の表面に整合する表面７６２に成形されている。複数の端子７８の各々は終端部分７８２を持ち、この終端部分７８２は、球面にマッチする表面７６２に沿う側表面７８４を持っている。そして、これらは協働的に半田ボール７１を受容する受容面を規定し、半田ボール７１と接触する端子７８の側表面７８４によって半田ボール７１は受容され、加熱後に、端子７８と回路基板８の接点８４とは固定的に接続され、電気接続が達成される。
【０００５】
更に別の電気コネクタが、中華民国の特許第３８９４３０号公報により開示される。図４はこれを示すもので、電気コネクタ７は複数のスルーホール７６を備えるプレート状の絶縁ハウジング７０を有している。スルーホール７６の、回路基板８に近い側の端部には、夫々の内側に凹む表面７６４が形成されており、この表面７６４は、半田ボール７１の形とマッチする形状となっている。複数の端子７８は、スルーホール７６内に挿入され、そして端子７８の終端部分７８２は、夫々少しだけ内部の凹み表面７６４内に真っ直ぐ突出し、スルーホール７６を通して半田ボール７１に接触される。加熱後に、端子７８と回路基板８の接点８４とは固定的に接続され、電気接続が確立される。
【発明が解決しようとする課題】
【０００６】
本発明は、接続手段として半田ボールを利用し、電気コネクタの高さを低くすることができるだけでなく、半田ボールを保持するために、端子の自由端で形成される半田ボール実装部分の製造を容易にできる電気コネクタを提供することにある。
【０００７】
【課題を解決するための手段】
本発明の電気コネクタは、主に、電子部品（例えば、中央演算処理装置）と回路基板の間の電気接続を提供するものである。即ち、本発明は、電子部品を取り付けるための受容表面と、回路基板に接続するための、前記受容表面と反対側の実装表面とを有する絶縁ハウジングであって、前記受容表面と前記実装表面との間に延びる複数のスルーホールと、前記実装表面に形成された複数の窪みであって、各窪みが前記スルーホールの１つに夫々関連付けられ該関連付けられたスルーホールの実装表面内の開口に隣接して位置している窪みとを有する絶縁ハウジングと、
前記絶縁ハウジングの前記スルーホールに受け入れられた複数の導電性の端子であって、１つの端子は前記スルーホールの１つに受け入れられ、各端子は、前記スルーホールに受け入れられた本体部分を含み、自由端が前記開口を通して実装表面側に延び、該自由端が、スルーホールの窪みに近い側の壁と、窪みのスルーホールに近い壁の間の実装表面の一部を支点として、窪み内に斜めに折り返されて半田ボール実装部分を形成している端子とを備える電子部品を回路基板に接続する電気コネクタである。
【０００８】
前述した目的及び特徴、そして発明の効果を達成するために本発明により用いられる技術的手段は、以下の様に、添付図面中の参照番号によって構成部分が示される好適実施例により説明される。
【０００９】
【発明の実施の形態】
組立体の電気コネクタ２と電子部品１と回路基板３との間の相対関係を分解図で示した図５と、図６を参照すると、本発明の第１の実施例に係る電気コネクタ２は、絶縁ハウジング２０を有し、この絶縁ハウジング２０は、電子部品１を支持あるいは受容する受容表面２２と、回路基板３の向かい側に配置される実装表面２４とを有する。複数の端子用スルーホール２６は絶縁ハウジング２０に配置され、そしてこれらのスルーホール２６は絶縁ハウジング２０の受容表面２２と実装表面２４の間に延びている。スルーホール２６は、絶縁ハウジング２０の実装表面２４と開口２６２を通して連通している。絶縁ハウジング２０、特にその実装表面２４には、好適には空洞、凹所あるいは窪み２８をその中に含み、そして、スルーホール２６の開口２６２の近く、好適には、開口２６２の近傍に隣接して位置する。このような窪み２８の各々は沈み込んでおり、絶縁ハウジング２０の実装表面２４から離れる様に絶縁ハウジング２０の内部の方向に延びている。
【００１０】
図６に図示した実施例において、窪み２８は断面が全般的に台形形状を成し、協働する第１壁２８０、第２壁２８２、第３壁２８４を規定する。第１壁２８０は、スルーホール２６の窪み２８に近い側の壁２６４の一端から内部方向に傾斜しながら延び、一方、第２壁２８２は、概して真っ直ぐ上方に延びて絶縁ハウジング２０の実装表面２４から第３壁２８４に至っている。第３壁２８４は、第１壁２８０と第２壁２８２を相互に接続するために供される。第３壁２８４は、好適には全般的に絶縁ハウジング２０の実装表面２４に平行に延び、第１壁２８０の遠端と第２壁２８２の内端とを接続し、それにより、図６に図示するように窪み２８の全般的に台形形状を形づくり、実装表面２４に向かって開口する。
【００１１】
複数の導電性の端子４は、絶縁ハウジング２０の対応するスルーホール２６内に受容され、それによって、各スルーホール２６の各々は、１つの端子４を受け入れる。端子４の各々は、第１接点端（図示せず）を有する。この第１接点端は受容表面２２方向に向いており、電子部品１の足またはピン１０に接触される。そして、本体部分４１を挟んで反対側の第２接触端すなわち自由端４２は、実装表面２４のスルーホール２６の開口２６２の方向に通され、外に延び出ている。この端子４の自由端４２は、絶縁ハウジング２０の実装表面２４と反対方向に折り返され、そして、絶縁ハウジング２０の関連する窪み２８に斜めに延び、自由端４２は窪み２８内に受け入れられ、これにより端子４の半田ボール実装部分４４が規定される。この自由端４２の関連する窪み２８内への折り返しは、電気コネクタ２の全体的な高さを減ずるのに役に立つ。
【００１２】
自由端４２は、好適には更に、例えば針状突起や突き出た先端などの様な干渉部分４２１を含み、この干渉部分４２１は、窪み２８の第２壁２８２の対向する表面または窪み２８の第３壁２８４の同様の表面に干渉的に係合する。これは、自由端４２を窪み２８内に一層確実に保持する補助となり、これにより、半田ボール実装部分４４と窪み２８の第２壁２８２の相関的な配置の調整がなされ、半田ボール５の容易な位置決めを可能とする。エッジまたはポイントが、窪み２８の第１壁２８０とスルーホール２６の壁２６４とが出合う位置で成形され、窪み２８において端子４の自由端４２をその位置で折り曲げる金床または支点が形成される。これは、半田ボール実装部分４４の製造を容易にする。何故ならば、補足的形状に型抜きした部材を、それらの関連した窪み２８内へ挿入し、端子４の自由端４２を自由に曲げるために使用できるからである。組立作業で、半田ボール５が加熱されることで端子４と回路基板３の接点３２との電気的接続が確立し、この電気コネクタ２の端子４は回路基板２上の対応する接点３２に固定的に接続される。
【００１３】
図７は、本発明の原理に従って構成された電気コネクタ２の第２の実施例の構造を図示するものであり、この第２の実施例は第１の実施例と基本的には同様であるが、絶縁ハウジング２０の構造が異なっている。この実施例では、絶縁ハウジング２０が、実装表面２４から外方向に突設されたフランジ２７を含み、好ましくは、フランジ２７は窪み２８の第２壁２８２に整列して設けられ、これにより第２壁２８２の長さは、図６に図示するように第１の実施例の長さと比較して長く延びている。この実施例では、半田ボール５はフランジ２７に隣接し、一層正確に位置決めされる。半田ボール実装部分４４、窪み２８の第２壁２８２及びフランジ２７の長所により、端子４の自由端４２に半田ボール５を位置決めするのが容易になる。加熱後は、端子４は固定的に回路基板３上の対応する接点３２に接続され、電気的接続が確立される。
【００１４】
図８は、本発明の原理に従って構成された電気コネクタ２の第３の実施例の構造を図示するものであり、この第３の実施例も第１の実施例と同様に構成される。違いは、この実施例の窪み２８の形状が、断面が全般的に矩形形状になっていることである。すなわち、窪み２８は３つの壁によって規定され、真っ直ぐ立った第１壁２８１は関連するスルーホール２６の開口２６２から離間して設けられ、真っ直ぐ立った第２壁２８２は対向する第１壁２８１から離間して設けられ、第３壁２８４は第１壁２８１と第２壁２８２とを相互に接続する。第３壁２８４は、絶縁ハウジング２０の実装表面２４と平行に設けられる。窪み２８は、スルーホール２６の壁２６４から距離Ｄだけ離間して設けられる。この様に、第１壁２８１、第３壁２８４そして第２壁２８２は共に協働して矩形形状の窪み２８を形成し実装表面２４に開口する。
【００１５】
複数の導電性の端子４は、絶縁ハウジング２０のスルーホール２６内に受け入れられる。各端子４は、電子部品１の対向する足１０に接触するように電気コネクタ２の受容表面２２の方向に延びる一端（図示せず）と、そして、実装表面２４に沿うスルーホール開口２６２から外に出る様に延びる自由端４２とを有する。この自由端４２は、窪み２８の第１壁２８１とスルーホールの壁２６４とにより規定され好ましくは第１壁２８１のエッジに対して隣接する表面または壁を越えて曲げられ、図示されるように距離Ｄに渡る実装表面２４の介在部分に連絡する。距離Ｄに渡る介在部分は、関連する窪み２８の中に自由端４２を曲げ入れるための支点、金床として作用する。自由端４２は更に延び、実装表面２４を通り越して絶縁ハウジング２０の内部に入り、更に好ましくは、近傍の関連する窪み２８の中に斜めに配置される。この方向で自由端４２は第２壁２８２及び第３壁２８４の接合部分方向に向き、これにより半田ボール実装部分４４が形成される。自由端４２は、突き出る干渉部分４２１を有する。干渉部分４２１は、例えば針状突起や突き出た先端などであり、直立する第２壁２８２または第３壁２８４のいずれかの表面に干渉的に係合する。この係合は、自由端４２を窪み２８内に一層確実な方法で保持させ、半田ボール実装部分４４と第２壁２８２の表面との間に一層容易に半田ボール５を位置決めさせる。加熱後は、端子４は回路基板３の対応する接点３２に固定的に接続され、電気接続が達成される。
【００１６】
最後に、図９は、本発明の原理に従って構成された電気コネクタ２の第４の実施例の構造を図示するものであり、これは、第３の実施例と同様の構造であるが、本実施例では、突起を含んでいる。この突起はフランジ２７を形成し、窪み２８の直立する第２壁２８２に沿って実装表面２４の方向に絶縁ハウジング２０から突出している。このフランジ２７は、実際に、窪み２８の第２壁２８２の長さを延長し、半田ボール５が端子４にマウントされたとき半田ボール５を接触状態に置く。半田ボール実装部分４４、窪み２８の第２壁２８２そしてフランジ２７の長所は、半田ボール５の位置決めが容易になされることにある。加熱後は、端子４は回路基板３の対応する接点に固定的に接続され、電気接続が確立される。
【００１７】
要約すると、本発明による電気コネクタは、実際に、上述した構成から明らかなように、意図した目的と効果を達成できる。窪み２８の自由端４２および第２壁２８２は、半田ボール５を受容するためのリセプタクルを効果的に形づくるために協働する。自由端４２は、実装表面２４に半田ボール５を取り付けるために設けられ、一方、第２壁２８２は、フランジ２７の有無に関わらず、半田ボール５を位置決めして端子４に接触させることができる。前述した図面と説明は、本発明の実施例を示すことを意図したものであって、本発明を制限するものではない。当業者によって為された本発明の特徴の範囲の如何なる均等な変更や修正は、本願の請求範囲に含まれるものである。
【図面の簡単な説明】
【図１】従来の電気コネクタと、そのコネクタ、電子部品、回路基板間の関係を示す図である。
【図２】従来の電気コネクタを図示する図１のＡ―Ａ線に沿う断面図である。
【図３】従来に係る他の電気コネクタの、図２と同様の部分断面図である。
【図４】従来に係る更に別の電気コネクタの、図２と同様の部分断面図である。
【図５】本発明の原理に係る電気コネクタと、そのコネクタ及びコネクタによって支持される電子部品並びに実装される回路基板の間の関係とを示す図である。
【図６】図５のＢ―Ｂ線に沿う部分断面図であり、第１の実施例の構造を示す図である。
【図７】本発明の原理に従う第２の実施例の、図６と同様の部分断面図である。
【図８】本発明の原理に従う第３の実施例の、図６と同様の部分断面図である。
【図９】本発明の原理に従う第４の実施例の図６と同様の部分断面図である。
【符号の説明】
１          電子部品
１０        ピン
２          電気コネクタ
２０        絶縁ハウジング
２２        受容表面
２４        実装表面
２６        スルーホール
２６２      開口
２６４      壁
２７        フランジ
２８        窪み
２８０      第１壁
２８１      第１壁
２８２      第２壁
２８４      第３壁
３          回路基板
３２        接点
４          端子
４１        本体部分
４２        自由端
４２１      干渉部分
４４        半田ボール実装部分
５          半田ボール
６          電子部品
７          電気コネクタ
７０        絶縁ハウジング
７１        半田ボール
７２        表面
７６        スルーホール
７６２      表面
７６４      表面
７８        端子
７８２      終端部分
７８４      側表面
８          回路基板
８２        表面
８４        接点
【図１】
0003541828.tif 000002
【図２】
0003541828.tif 000003
【図３】
0003541828.tif 000004
【図４】
0003541828.tif 000005
【図５】
0003541828.tif 000006
【図６】
0003541828.tif 000007
【図７】
0003541828.tif 000008
【図８】
0003541828.tif 000009
【図９】
0003541828.tif 000010